(57)【要約】【課題】中継端末を介することなく、ＩＰネットワークを介して、異なるアドホックネットワークに属する無線端末間に通信路を設定するアドホックネットワークの接続方法等を提供する。【解決手段】無線端末の識別番号とアドホックネットワークの識別番号とを記憶したネットワーク管理装置６を有し、接続装置は、アドホックネットワークに存在する無線端末の識別情報を管理し、無線端末４１１からデータを受信した接続装置５−１が、データの宛先となる無線端末４２１がアドホックネットワーク２１に存在するか否かを判断し、存在しない場合、接続装置５−１が、無線端末４２１の存在するアドホックネットワーク２２の識別番号をネットワーク管理装置６から取得し、接続装置５−１が、アドホックネットワーク２２の接続装置５−２との間でＩＰネットワークに通信路を設定し且つデータを送信する。【選択図】　　　図３
2004104322.tif 000002
【特許請求の範囲】
【請求項１】
異なるアドホックネットワークに属する無線端末間に通信路を設定するアドホックネットワークの接続方法であって、
無線及び／又は有線網からなるＩＰネットワークと、該ＩＰネットワーク及び前記アドホックネットワークを接続する接続装置と、前記無線端末の位置情報を記憶したネットワーク管理装置とを用いて、
前記接続装置は、前記アドホックネットワークに存在する前記無線端末の識別情報を管理しており、
第１の接続装置が、第１のアドホックネットワークの第１の無線端末からデータを受信する第１のステップと、
前記第１の接続装置が、前記データの宛先となる第２の無線端末が前記第１のアドホックネットワークに存在するか否かを判断する第２のステップと、
前記第２の無線端末が前記第１のアドホックネットワークに存在しない場合、前記第１の接続装置が、前記第２の無線端末の位置情報を前記ネットワーク管理装置から取得する第３のステップと、
前記第１の接続装置が、前記第２の無線端末の位置情報に相当する前記第２のアドホックネットワークの第２の接続装置との間で、前記ＩＰネットワークに通信路を設定し且つ前記データを送信する第４のステップと、
前記第２の接続装置が、受信した前記データを、前記第２のアドホックネットワークの前記第２の無線端末へ送信する第５のステップと
を有することを特徴とするアドホックネットワークの接続方法。
【請求項２】
前記ネットワーク管理装置に記憶された前記無線端末の位置情報は、前記無線端末の識別情報と、該無線端末が存在するアドホックネットワークの識別情報と、前記接続装置の識別情報とを含むことを特徴とする請求項１に記載の接続方法。
【請求項３】
前記第４のステップについて、前記ＩＰネットワークに通信路を設定する際に、前記第１の無線端末に相当する利用者情報に対して、課金情報を蓄積することを特徴とする請求項１又は２に記載の接続方法。
【請求項４】
前記第４のステップについて、前記ＩＰネットワークに通信路を設定する際に、前記接続装置に相当する通信提供者情報に対して、課金情報を蓄積することを特徴とする請求項１又は２に記載の接続方法。
【請求項５】
前記ＩＰネットワークに接続されている前記ネットワーク管理装置を用いることを特徴とする請求項１から４のいずれか１項に記載の接続方法。
【請求項６】
前記接続装置内に存在する前記ネットワーク管理装置を用いることを特徴とする請求項１から４のいずれか１項に記載の接続方法。
【請求項７】
異なるアドホックネットワークに属する無線端末間に通信路を設定するためのアドホックネットワークの接続装置であって、
前記無線端末の位置情報を記憶したネットワーク管理装置と通信する手段と、
無線及び／又は有線網からなるＩＰネットワークに接続する手段と、
第１のアドホックネットワークと接続する手段と、
前記第１のアドホックネットワークに存在する前記無線端末の識別情報を管理する管理手段と、
前記第１のアドホックネットワークに存在する第１の無線端末からデータを受信する手段と、
前記データの宛先となる第２の無線端末が前記第１のアドホックネットワークに存在するか否かを前記管理手段に問合せる手段と、
前記第２の無線端末が前記第１のアドホックネットワークに存在しない場合、前記ネットワーク管理装置から前記第２の無線端末の位置情報を取得する手段と、
前記第２の無線端末の位置情報に相当する前記第２のアドホックネットワークの第２の接続装置との間で、通信路を設定する通信路設定手段と
を有することを特徴とするアドホックネットワークの接続装置。
【請求項８】
前記ネットワーク管理装置に記憶された前記無線端末の位置情報は、前記無線端末の識別情報と、該無線端末が存在するアドホックネットワークの識別情報と、前記接続装置の識別情報とを含むことを特徴とする請求項７に記載の接続装置。
【請求項９】
前記通信路設定手段は、前記ＩＰネットワークに通信路を設定する際に、前記第１の無線端末に相当する利用者情報に対して、課金情報を蓄積することを特徴とする請求項７又は８に記載の接続装置。
【請求項１０】
前記通信路設定手段は、前記ＩＰネットワークに通信路を設定する際に、前記接続装置に相当する通信提供者情報に対して、課金情報を蓄積することを特徴とする請求項７又は８に記載の接続装置。
【請求項１１】
前記ＩＰネットワークに接続されている前記ネットワーク管理装置を用いることを特徴とする請求項７から１０のいずれか１項に記載の接続装置。
【請求項１２】
前記ネットワーク管理装置の機能に相当する前記無線端末の位置情報を記憶する手段を更に有することを特徴とする請求項７から１０のいずれか１項に記載の接続装置。
【請求項１３】
異なるアドホックネットワークに属する無線端末間に通信路を設定するためのアドホックネットワークの接続プログラムであって、
前記無線端末の位置情報を記憶したネットワーク管理装置と通信する手段と、
無線及び／又は有線網からなるＩＰネットワークと接続する手段と、
第１のアドホックネットワークと接続する手段と、
前記第１のアドホックネットワークに存在する前記無線端末の識別情報を管理する管理手段と、
前記第１のアドホックネットワークに存在する第１の無線端末からデータを受信する手段と、
前記データの宛先となる第２の無線端末が前記第１のアドホックネットワークに存在するか否かを前記管理手段に問合せる手段と、
前記第２の無線端末が前記第１のアドホックネットワークに存在しない場合、前記ネットワーク管理装置から前記第２の無線端末の位置情報を取得する手段と、
前記第２の無線端末の位置情報に相当する前記第２のアドホックネットワークの第２の接続装置との間で、通信路を設定する通信路設定手段と
してコンピュータを機能させることを特徴とするアドホックネットワークの接続プログラム。
【請求項１４】
前記ネットワーク管理装置に記憶された前記無線端末の位置情報は、前記無線端末の識別情報と、該無線端末が存在するアドホックネットワークの識別情報と、前記接続装置の識別情報とを含むことを特徴とする請求項１３に記載のアドホックネットワークの接続プログラム。
【請求項１５】
前記通信路設定手段は、前記ＩＰネットワークに通信路を設定する際に、前記第１の無線端末に相当する利用者情報に対して、課金情報を蓄積するようにコンピュータを機能させることを特徴とする請求項１３又は１４に記載の接続プログラム。
【請求項１６】
前記通信路設定手段は、前記ＩＰネットワークに通信路を設定する際に、前記接続プログラムを実行する通信提供者情報に対して、課金情報を蓄積するようにコンピュータを機能させることを特徴とする請求項１３又は１４に記載の接続プログラム。
【請求項１７】
前記ＩＰネットワークに接続されている前記ネットワーク管理装置を用いることを特徴とする請求項１３から１６のいずれか１項に記載の接続プログラム。
【請求項１８】
前記ネットワーク管理装置の機能に相当する前記無線端末の位置情報を記憶する手段として更にコンピュータを機能させることを特徴とする請求項１３から１６のいずれか１項に記載の接続プログラム。
【請求項１９】
前記請求項１３から１６のいずれか１項に記載の接続プログラムを記録した記録媒体。
【発明の詳細な説明】
【０００１】
【発明の属するの技術分野】
本発明は、アドホックネットワークの接続方法及び接続装置、接続プログラム並びにそのプログラムを記録した記録媒体に関する。特に、直接通信が不可能な異なるアドホックネットワークに属する無線端末間に通信路を設定する方法等に関する。
【０００２】
【従来の技術】
アドホックネットワークとは、例えば会議などで、一時的に集まった参加者が持参する携帯型無線端末を用いて、トランシーバのように同報型通信によって構成されるネットワークをいう（例えば、非特許文献１参照。）。従って、アドホックネットワークでは、通信設備がない場所でも、無線端末のみでネットワークを構築し、通信を実現している。
【０００３】
無線で通信可能な範囲内に存在する２以上の無線端末は、直接通信を実現する。しかし、その範囲外に存在する無線端末とは、直接通信をすることはできない。そこで、送信元端末と宛先端末との間に存在し、且つ、各無線端末が通信を中継するためのアドホックネットワークのルーティング手段を有する無線端末（以下「中継端末」という）が、その通信を中継することにより実現される。
【０００４】
図１は、従来のアドホックネットワークの構成図である。
【０００５】
図１によれば、無線端末４１１、４１２及び４１３から構成されるアドホックネットワーク２１と、無線端末４２１、４２２及び４２３から構成されるアドホックネットワーク２２と、無線端末４３１、４３２、４３３及び４３４から構成されるアドホックネットワーク２３とが表されている。ここで、無線端末４３１と無線端末４３４とは、直接通信することはできないが、無線端末４３３が中継端末となって通信することが可能となる。逆に、中継端末となる無線端末４３３が存在しなければ、無線端末４３１と無線端末４３４とは通信することができない。
【０００６】
このようなアドホックネットワークに対し、無線及び／又は有線網からなるＩＰネットワークがある。これは、Ｉｎｔｅｒｎｅｔ　Ｐｒｏｔｏｃｏｌに基づいてデータ通信されるネットワークである。例えば無線ＬＡＮの場合、アドホックネットワークモードとインフラストラクチャモードとがある。インフラストラクチャモードとは、ＩＰネットワークに接続するアクセスポイント（無線基地局）と無線端末とを接続する。無線端末は、アクセスポイントを介して、ＩＰネットワークの利用登録又はユーザ認証等を行った上で、そのＩＰネットワークに接続された端末と通信することができる。
【０００７】
【非特許文献１】
間瀬憲一、中野敬介、仙石正和、篠田庄司著「アドホックネットワーク」電子情報通信学会誌、２００１年２月、第８４巻、第２号、ｐ．１２７−１３４
【０００８】
【発明が解決しようとする課題】
しかしながら、従来技術においても、異なるアドホックネットワーク内の無線端末同士、例えば無線端末４１１と無線端末４２１とは簡単に通信することができない。これを実現するためには、両無線端末４１１及び４２１の間に中継端末が存在するか、又は両無線端末４１１及び４２１がインフラストラクチャモードによってＩＰネットワークに接続している必要がある。
【０００９】
また、アドホックネットワークは、通信設備のない場所でも無線端末のみで通信を行うことができるため、ＩＰネットワークの提供者（通信設備事業者）にとては、アドホックネットワークの利用者に対する課金手段がなく、そのような利用者へのサービス提供がはばかられている。また、アドホックネットワークの利用者にとっては、アドホックネットワークからＩＰネットワークのサービスをシームレスに利用することができない。
【００１０】
そこで、本発明は、中継端末を介することなく、ＩＰネットワークを介して、異なるアドホックネットワークに存在する無線端末間の通信を可能とする接続方法等を提供することを目的とする。
【００１１】
【課題を解決するための手段】
本発明におけるアドホックネットワークの接続方法によれば、
無線及び／又は有線網からなるＩＰネットワークと、該ＩＰネットワーク及びアドホックネットワークを接続する接続装置と、無線端末の識別番号と該無線端末が存在するアドホックネットワークの識別番号とを記憶したネットワーク管理装置とを用いて、
接続装置は、アドホックネットワークに存在する無線端末の識別情報を管理しており、
第１の接続装置が、第１のアドホックネットワークの第１の無線端末からデータを受信する第１のステップと、
第１の接続装置が、データの宛先となる第２の無線端末が第１のアドホックネットワークに存在するか否かを判断する第２のステップと、
第２の無線端末が第１のアドホックネットワークに存在しない場合、第１の接続装置が、第２の無線端末の存在する第２のアドホックネットワークの識別番号をネットワーク管理装置から取得する第３のステップと、
第１の接続装置が、第２のアドホックネットワークの第２の接続装置との間でＩＰネットワークに通信路を設定し且つデータを送信する第４のステップと、
第２の接続装置が、受信したデータを、第２のアドホックネットワークの第２の無線端末へ送信する第５のステップと
を有することを特徴とする。
【００１２】
本発明の接続方法における他の実施形態によれば、第４のステップについて、ＩＰネットワークに通信路を設定する際に、第１の無線端末に相当する利用者情報に対して、課金情報を蓄積することも好ましい。
【００１３】
また、本発明の接続方法における他の実施形態によれば、第４のステップについて、ＩＰネットワークに通信路を設定する際に、接続装置に相当する通信提供者情報に対して、課金情報を蓄積することも好ましい。
【００１４】
また、本発明の接続方法における他の実施形態によれば、ＩＰネットワークに接続されているネットワーク管理装置を用いるものであってもよい。
【００１５】
更に、本発明の接続方法における他の実施形態によれば、接続装置内に存在するネットワーク管理装置を用いるものであってもよい。
【００１６】
本発明におけるアドホックネットワークの接続装置によれば、
無線端末の識別番号と該無線端末が存在するアドホックネットワークの識別番号とを記憶したネットワーク管理装置と通信する手段と、
無線及び／又は有線網からなるＩＰネットワークに接続する手段と、
第１のアドホックネットワークと接続する手段と、
第１のアドホックネットワークに存在する無線端末の識別番号を管理する管理手段と、
第１のアドホックネットワークに存在する第１の無線端末からデータを受信する手段と、
データの宛先となる第２の無線端末が第１のアドホックネットワークに存在するか否かを管理手段に問合せる手段と、
第２の無線端末が第１のアドホックネットワークに存在しない場合、ネットワーク管理装置から第２の無線端末の存在する第２のアドホックネットワークの識別番号を取得する手段と、
第２のアドホックネットワークの第２の接続装置との間で通信路を設定する通信路設定手段と
を有することを特徴とする。
【００１７】
本発明の接続装置における他の実施形態によれば、通信路設定手段は、ＩＰネットワークに通信路を設定する際に、第１の無線端末に相当する利用者情報に対して、課金情報を蓄積することも好ましい。
【００１８】
また、本発明の接続装置における他の実施形態によれば、通信路設定手段は、ＩＰネットワークに通信路を設定する際に、接続装置に相当する通信提供者情報に対して、課金情報を蓄積することも好ましい。
【００１９】
また、本発明の接続装置における他の実施形態によれば、ＩＰネットワークに接続されているネットワーク管理装置を用いるものであってもよい。
【００２０】
更に、本発明の接続装置における他の実施形態によれば、ネットワーク管理装置の機能に相当する、無線端末の識別番号と該無線端末が存在するアドホックネットワーク識別番号とを記憶する手段を更に有するものであってもよい。
【００２１】
本発明におけるアドホックネットワークの接続プログラムによれば、
無線端末の識別番号と該無線端末が存在するアドホックネットワーク識別番号とを記憶したネットワーク管理装置と通信する手段と、
無線及び／又は有線網からなるＩＰネットワークと接続する手段と、
第１のアドホックネットワークと接続する手段と、
第１のアドホックネットワークに存在する無線端末の識別番号を管理する管理手段と、
第１のアドホックネットワークに存在する第１の無線端末からデータを受信する手段と、
データの宛先となる第２の無線端末が第１のアドホックネットワークに存在するか否かを管理手段に問合せる手段と、
第２の無線端末が第１のアドホックネットワークに存在しない場合、ネットワーク管理装置から第２の無線端末の存在する第２のアドホックネットワークの識別番号を取得する手段と、
第２のアドホックネットワークの第２の接続装置との間で通信路を設定する通信路設定手段と
してコンピュータを機能させることを特徴とする。
【００２２】
本発明の接続プログラムにおける他の実施形態によれば、通信路設定手段は、ＩＰネットワークに通信路を設定する際に、第１の無線端末に相当する利用者情報に対して、課金情報を蓄積するようにコンピュータを機能させることも好ましい。
【００２３】
また、本発明の接続プログラムにおける他の実施形態によれば、通信路設定手段は、ＩＰネットワークに通信路を設定する際に、接続プログラムを実行する通信提供者情報に対して、課金情報を蓄積するようにコンピュータを機能させることも好ましい。
【００２４】
また、本発明の接続プログラムにおける他の実施形態によれば、ＩＰネットワークに接続されているネットワーク管理装置を用いるものであってもよい。
【００２５】
更に、本発明の接続プログラムにおける他の実施形態によれば、ネットワーク管理装置の機能に相当する、無線端末の識別番号と該無線端末が存在するアドホックネットワーク識別番号とを記憶する手段として更にコンピュータを機能させるものであってもよい。
【００２６】
本発明におけるアドホックネットワークの接続プログラムを記録した記録媒体によれば、
無線端末の識別番号と該無線端末が存在するアドホックネットワーク識別番号とを記憶したネットワーク管理装置と通信する手段と、
無線及び／又は有線網からなるＩＰネットワークと接続する手段と、
第１のアドホックネットワークと接続する手段と、
第１のアドホックネットワークに存在する無線端末の識別番号を管理する管理手段と、
第１のアドホックネットワークに存在する第１の無線端末からデータを受信する手段と、
データの宛先となる第２の無線端末が第１のアドホックネットワークに存在するか否かを管理手段に問合せる手段と、
第２の無線端末が第１のアドホックネットワークに存在しない場合、ネットワーク管理装置から第２の無線端末の存在する第２のアドホックネットワークの識別番号を取得する手段と、
第２のアドホックネットワークの第２の接続装置との間で通信路を設定する通信路設定手段と
してコンピュータを機能させることを特徴とする。
【００２７】
本発明の接続プログラムを記録した記録媒体における他の実施形態によれば、通信路設定手段は、ＩＰネットワークに通信路を設定する際に、第１の無線端末に相当する利用者情報に対して、課金情報を蓄積するようにコンピュータを機能させることも好ましい。
【００２８】
また、本発明の接続プログラムを記録した記録媒体における他の実施形態によれば、通信路設定手段は、ＩＰネットワークに通信路を設定する際に、接続プログラムを実行する通信提供者情報に対して、課金情報を蓄積するようにコンピュータを機能させることも好ましい。
【００２９】
また、本発明の接続プログラムを記録した記録媒体における他の実施形態によれば、ＩＰネットワークに接続されているネットワーク管理装置を用いるものであってもよい。
【００３０】
更に、本発明の接続プログラムを記録した記録媒体における他の実施形態によれば、ネットワーク管理装置の機能に相当する、無線端末の識別番号と該無線端末が存在するアドホックネットワーク識別番号とを記憶する手段として更にコンピュータを機能させるものであってもよい。
【００３１】
【発明の実施の形態】
図２は、本発明によるシステム構成図である。
【００３２】
図２によれば、アドホックネットワーク２１、２２及び２３内にそれぞれ、接続装置５−１、５−２及び５−３が備えられ、これら接続装置は、それぞれのアドホックネットワーク内の無線端末と通信することができる。更に、これら接続装置５−１、５−２及び５−３は、ＩＰネットワーク６にも接続されている。従って、例えば、アドホックネットワーク２１の無線端末４１１と、アドホックネットワーク２２の無線端末４２１とは、ＩＰネットワーク３を介して通信することができる。
【００３３】
尚、本発明による接続装置と、ＩＰネットワーク６とは、必ずしも有線で接続されている必要はなく、無線で接続されていてもよい。
【００３４】
図３は、本発明による接続装置の機能構成図である。
【００３５】
図３によれば、ＩＰネットワークは、ネットワーク全体の無線端末の位置情報を管理するネットワーク管理手段５３を備えていることを前提としている。ネットワーク管理手段５３は、以下の表１のような管理項目（各無線端末が在圏するアドホックネットワークの情報）を有する。
【００３６】
【表１】
2004104322.tif 000003
【００３７】
表１によれば、無線端末番号毎に、アドホックネットワーク番号及び接続装置番号が対応付けられている。従って、宛先となる無線端末に対して、アドホックネットワーク番号と接続装置番号とを特定することができる。これにより、同じアドホックネットワークに存在する無線端末であっても、異なる接続装置番号を割り当てることもできる。接続装置は、通信提供者によって異なる場合もある。
【００３８】
尚、図３によれば、ネットワーク管理手段５３は、ＩＰネットワーク内に備えられているが、接続装置５内に備えるものであってもよい。
【００３９】
図３の接続装置５−１は、
・無線端末とＩＰネットワークを接続する接続手段５０と、
・アドホックネットワークに存在する無線端末の位置情報を収集する収集手段５１と、
・アドホックネットワークに存在する無線端末の位置情報を管理する管理手段５２と、
・収集手段５１により収集した無線端末の位置情報を、ネットワーク管理手段５３へ登録する登録手段５４と、
・アドホックネットワークルーティング手段５５と、
・ＩＰネットワークルーティング手段５６と、
・データを取り込み、同じアドホックネットワークに存在する無線端末か判断するために、管理手段５２へ問合せる位置情報問合せ手段５７と、
・宛先端末が異なるアドホックネットワークに存在する場合は、ネットワーク管理手段５３へ宛先端末の位置情報を問合せる宛先端末問合せ手段５８と、
・異なるアドホックネットワーク間の通信路を設定する通信路設定手段５９とを有する。
【００４０】
接続手段５０は、アドホックネットワーク２１に存在する複数の無線端末４１１、４１２及び４１３と、無線を介して接続する。
【００４１】
収集手段５１は、アドホックネットワーク２１に存在する無線端末４１１、４１２及び４１３の位置情報を収集する。また、収集手段５１は、その位置情報を管理手段５２と登録手段５４とへ通知する。
【００４２】
管理手段５２は、収集手段５１により収集した、アドホックネットワーク２１に存在する無線端末４１１、４１２及び４１３の位置情報を管理する。
【００４３】
登録手段５４は、収集手段５１から通知された無線端末の位置情報を、ネットワーク管理手段５３へ送信する。
【００４４】
位置情報問合せ手段５７は、アドホックネットワークルーティング手段５５からデータを取り込み、そのデータの宛先となる無線端末が、同じアドホックネットワークに存在するか否かを管理手段５２へ問合せる。もし、存在しない場合、位置情報問合せ手段５７は、次に、ネットワーク全体において宛先となる無線端末が存在するか否かを宛先端末問合せ手段５８へ問合せる。
【００４５】
宛先端末問合せ手段５８は、ネットワーク全体の無線端末の位置情報を管理するネットワーク管理手段５３へ、当該宛先端末の位置情報を問合せる。
【００４６】
通信路設定手段５９は、宛先端末と通信可能な接続装置の間でＩＰに従って通信路を設定し、無線端末に相当する利用者情報に対して、課金情報を蓄積する。尚、設定された通信路の距離、又は、送信されたデータ量等の設定情報に基づいて課金情報を変更することも好ましい。
【００４７】
ここで、通信路設定手段５９は、接続装置に相当する通信提供者情報に対して、課金情報を蓄積するものであってもよい。前述した表１によれば接続装置番号も管理されているので、同じアドホックネットワークに存在する無線端末であっても異なる接続装置を割り当てることができる。従って、異なる通信提供者によって提供される接続装置毎に、課金情報を異ならしめることもできる。
【００４８】
以下では、アドホックネットワーク２１に存在する無線端末４１１が、アドホックネットワーク２２に存在する無線端末４２１ヘデータを送信する場合を例にとり、説明する。
【００４９】
接続手段５０がアドホックネットワークに接続している場合、アドホックネットワークルーティング手段５５が、無線端末４１１から、宛先が無線端末４２１であるデータを受信する。このデータは位置情報問合せ手段５７に通知される。位置情報問合せ手段５７は、このデータが同じアドホックネットワーク２１内に存在する無線端末宛のデータか否かを判断する。位置情報問合せ手段５７は、管理手段５２が管理する端末情報を検索し、アドホックネットワーク２１に存在しない宛先の無線端末と判断する。そして、位置情報問合せ手段５７は、宛先端末の位置情報の問合せを宛先端末問合せ手段５８へ要求する。問合せ要求を受けた宛先端末問合せ手段５８は、ネットワーク管理手段５３へ宛先端末の位置情報を問合せ、その応答を元に、位置情報問合せ手段５７へ宛先端末の位置情報を通知する。位置情報問合せ手段５７は、ＩＰネットワークルーティング手段５６ヘ当該データの転送を要求する。このとき、通信路設定手段５９は、宛先端末４２１と通信可能な接続装置５−２との間で、ＩＰに従って通信路を設定し、無線端末に相当する利用者情報又は接続装置に相当する通信提供者情報に対して、課金情報を蓄積する。
【００５０】
これにより、ＩＰネットワークルーティング手段５６は、ＩＰネットワークの中継装置６を介して、宛先の無線端末４２１と通信可能な接続装置５−２へデータを転送する。
【００５１】
次に、データを受信した接続装置について説明する。ＩＰネットワークルーティング手段５６が受信したデータは、位置情報問合せ手段５７に通知される。位置情報問合せ手段５７は、そのデータの宛先となる無線端末がアドホックネットワーク２２内に存在することを問合せる。存在することが確認されると、そのデータを受信したアドホックネットワークルーティング手段５５は、アドホックネットワーク内の無線端末４２１ヘデータを送信する。
【００５２】
これにより、異なるアドホックネットワーク２１及び２２に存在する無線端末４１１と無線端末４２１との間の通信が実現される。
【００５３】
尚、無線端末４１１と無線端末４２１の間で送受信されるデータの内容は、テキスト、動画、音声等による、チャット、会議、ゲーム対戦、伝言サービス、オークション、フリーマーケット、音楽配信、映像配信、広告配信、インターネット接続といった、提供されるサービスや使用されるアプリケーションに依存する。
【００５４】
前述した実施形態によれば、アドホックネットワークの接続方法及び接続装置について説明したが、接続プログラム及びそのプログラムを記録した記録媒体として実施できることは、当業者によれば容易に想到できるものである。
【００５５】
【発明の効果】
本発明におけるアドホックネットワークの接続方法及び接続装置、接続プログラム並びにそのプログラムを記録した記録媒体によれば、中継端末を介することなく、ＩＰネットワークを介して、異なるアドホックネットワークに存在する無線端末間の通信を可能とする。
【００５６】
また、無線端末に相当する利用者、又は接続装置に相当する通信提供者に対して、課金を行うことできるので、ＩＰネットワークの通信提供者にとっては、アドホックネットワークの利用者に対して新たなサービス展開の機会を与えることができ、接続装置に相当する通信提供者に対して課金を行っている場合には、アドホックネットワークの利用者にとっては、事前に利用登録をしなくても、異なるアドホックネットワーク間で通信をすることができる。
【００５７】
本来、ＩＰネットワークを利用して通信する場合、利用者は、事前にＩＰネットワークの通信提供者に対して利用登録又はユーザ認証が必要となるが、本発明によれば、利用者は事前に利用登録等をする必要がなく、その手間を軽減することができる。従って、アドホックネットワークの利用者は、シームレスにＩＰネットワークを利用することができる。
【００５８】
アドホックネットワークとＩＰネットワークとの接続装置は、喫茶店若しくはファーストフード店等の店舗、空港若しくは駅等の公共機関、又は、企業のオフィス若しくはマンション等の集合住宅等に設置することができる。
【図面の簡単な説明】
【図１】従来のアドホックネットワークの構成図である。
【図２】本発明によるシステム構成図である。
【図３】本発明による接続装置の機能構成図である。
【符号の説明】
２１、２２　アドホックネットワーク
４１１、４１２、４１３、４２１、４２２、４２３、４３１、４３２、４３３、４３４　無線端末
５−１、５−２　接続装置
５０　無線端末とＩＰネットワークの接続手段　５１　アドホックネットワークに存在する無線端末の位置情報を収集する収集手段
５２　アドホックネットワークに存在する無線端末の位置情報を管理する管理手段
５３　ネットワーク全体の無線端末の位置情報を管理するネットワーク管理手段
５４　収集された無線端末の位置情報をネットワーク管理手段５３へ登録する登録手段
５５　アドホックネットワークルーティング手段
５６　ＩＰネットワークルーティング手段
５７　アドホックネットワークに存在する無線端末か否かを判断する位置情報問合せ手段
５８　宛先端末が異なるアドホックネットワークに存在する場合、ネットワーク管理手段５３へ宛先端末の位置情報を問合せる宛先端末問合せ手段
５９　異なるアドホックネットワーク間の通信路を設定する通信路設定手段
６　ＩＰネットワーク
６０　中継装置
【図１】
2004104322.tif 000004
【図２】
2004104322.tif 000005
【図３】
2004104322.tif 000006